(57)【特許請求の範囲】
【請求項１】
発光部と、
主走査方向における一端部が前記発光部に対向して配置され、他端部が前記発光部とは反対側に配置される棒状の導光部材と、
前記発光部及び前記導光部材を保持する保持部材と、を備え、
前記保持部材は、
反射部と、
前記導光部材を主走査方向に沿うように配置すると共に、前記導光部材の前記一端部を位置決め保持する保持部と、を有し、
前記保持部材を保持するケース部材と、を備え、
前記保持部は、前記導光部材の前記一端部が前記発光部の側に移動しないように前記導光部材を位置決め保持すると共に、前記導光部材の前記他端部が前記発光部とは反対側に移動可能に前記導光部材を保持する、
画像読取装置。
【請求項２】
前記導光部材は、前記一端部側に、主走査方向と直交する方向に突出する突出部を有し、
前記保持部は、前記突出部における主走査方向の前記発光部側に当接する第１当接部と、前記突出部における主走査方向の前記発光部側とは反対側に当接する第２当接部と、を有する
請求項１に記載の画像読取装置。
【請求項３】
前記第２当接部は、
前記突出部が主走査方向における前記発光部側へ向かう移動を規制せず、前記突出部が主走査方向における前記発光部側とは反対側へ向かう移動を規制する
請求項２に記載の画像読取装置。
【請求項４】
前記第２当接部は、
主走査方向に延びるように形成され、前記第２当接部の前記発光部側が自由端である片持状の部材であって、
前記発光部側へ移動する前記突出部により前記自由端が主走査方向に直交する方向に前記導光部材から離間するように撓み変形すると共に、
前記突出部における前記発光部側とは反対側に当接した状態において前記突出部の移動を規制する
請求項３に記載の画像読取装置。
【請求項５】
前記保持部材は、前記導光部材の前記一端部の端面が前記発光部から所定距離だけ離間した状態で、前記導光部材を保持する
請求項１から４のいずれかに記載の画像読取装置。
【請求項６】
請求項１から５のいずれかに記載の画像読取装置と、を備える
画像形成装置。
【発明の詳細な説明】
【技術分野】
【０００１】
本発明は、画像読取装置及び画像形成装置に関する。
【背景技術】
【０００２】
近年、環境問題を背景に光源としてＬＥＤが採用された画像読取装置が存在する。光源としてＬＥＤが用いられる場合、例えば、複数のＬＥＤを主走査方向に所定間隔で配置された画像読取装置が存在する。
しかし、この画像読取装置の場合、複数のＬＥＤが必要であり、コスト面からは不利になる場合があった。
【０００３】
これに対し、主走査方向の一端側に輝度が高いＬＥＤを配置すると共に主走査方向に長いアクリルやポリカーボネートで構成された棒状の導光部材を有する画像読取装置が存在する（例えば、特許文献１参照）。
この場合、ＬＥＤが１つ（又は少数）ですむので、コスト面からは有利になる。
【先行技術文献】
【特許文献】
【０００４】
【特許文献１】特開２００９−７５１８４号公報
【発明の概要】
【発明が解決しようとする課題】
【０００５】
しかし、特許文献１に開示された画像読取装置のタイプにおいて、原稿に均一に光を照射させるためには、棒状の導光部材が高い精度で位置決めされる必要がある。
特に、棒状の発光部材は、発光部に対して高い精度で位置決めされる必要がある。
【０００６】
本発明は、簡易な構成で導光部材を高い精度で位置決め可能な画像読取装置を提供することを目的とする。
また、本発明は、上記画像読取装置を備える画像形成装置を提供することを目的とする。
【課題を解決するための手段】
【０００７】
本発明は、発光部と、端部が前記発光部に対向して配置される棒状の導光部材と、前記発光部及び前記導光部材を保持する保持部材であって、反射部と、前記導光部材を主走査方向に沿うように配置すると共に、主走査方向における前記導光部材側の端部を位置決め保持する保持部と、を有する保持部材と、前記保持部材を保持するケース部材と、を備える画像読取装置に関する。
【０００８】
また、前記保持部は、前記発光部側の端部が主走査方向に移動しないように位置決め保持すると共に、前記発光部と反対側の端部が主走査方向に移動可能に前記導光部材を保持することが好ましい。
【０００９】
また、前記導光部材は、主走査方向における前記発光部側の端部側に主走査方向と直交する方向に突出する突出部を有し、前記保持部は、前記突出部における主走査方向の前記発光部側に当接する第１当接部と、前記突出部における主走査方向の前記発光部側と反対側に当接する第２当接部と、を有することが好ましい。
【００１０】
また、前記第２当接部は、前記突出部の主走査方向における前記発光部側へ向かう移動は規制せず、主走査方向における前記発光部側と反対側への移動は規制することが好ましい。
【００１１】
また、前記第２当接部は、主走査方向に延びるように形成され前記発光部側が自由端である片持状の部材であって、前記発光部側へ移動する前記突出部により前記自由端が主走査方向に直交する方向に前記導光部材から離間するように撓み変形すると共に、前記突出部における前記発光部側と反対側に当接した状態において前記突出部の移動を規制することが好ましい。
【００１２】
また、前記保持部材は、前記導光部材における前記発光部側の端面が前記発光部から所定距離だけ離間した状態で前記導光部材を保持することが好ましい。
【００１３】
また、本発明は、上記のいずれかに記載の画像読取装置と、を備える画像形成装置に関する。
【発明の効果】
【００１４】
本発明によれば、簡易な構成で導光部材を高い精度で位置決め可能な画像読取装置を提供することができる。
また、本発明によれば、上記画像読取装置を備える画像形成装置を提供することができる。
【図面の簡単な説明】
【００１５】
【図１】画像形成装置としてのコピー機１の各構成要素の配置を説明するための図である。
【図２】画像読取装置３００に組み込まれる発光ユニット４００の斜視図である。
【図３】図２の状態からカバー部材３１１ｂ及びカバー部材３１１ｃを取り外した発光ユニット４００の斜視図である。
【図４】導光部材３４０及びＬＥＤ基板４３０を保持させた状態の保持部材４２０における平面図である。
【図５】保持部材４２０の先端側部材４２７とＬＥＤ基板４３０との位置決め構造を説明するための図である。
【図６】導光部材３４０における斜視図である。
【図７】図４における領域Ａの部分拡大図である。
【図８】導光部材３４０における位置決め構造を説明する図である。
【図９】保持部材４２０の基端側部材４２５に形成された基端側孔状部４２３ａと導光部材３４０の基端部との位置決め構造を説明するための図である。
【図１０】保持部材４２０の先端側部材４２７に形成された先端側孔状部４２３ｂと導光部材３４０の先端部との位置決め構造を説明するための図である。
【図１１Ａ】導光部材３４０を取り付ける手順を説明する図である。
【図１１Ｂ】導光部材３４０を取り付ける手順を説明する図である。
【図１１Ｃ】導光部材３４０を取り付ける手順を説明する図である。
【図１１Ｄ】導光部材３４０を取り付ける手順を説明する図である。
【発明を実施するための形態】
【００１６】
以下、図面を参照して、本発明の画像形成装置の実施形態を説明する。
図１により、本実施形態における画像形成装置としてのコピー機１における全体構造を説明する。図１は、画像形成装置としてのコピー機１の各構成要素の配置を説明するための図である。
【００１７】
図１に示すように、画像形成装置としてのコピー機１は、コピー機１における上下方向Ｚの上方側に配置される画像読取装置３００と、コピー機１における上下方向Ｚの下方側に配置され画像読取装置３００により読み取られた画像情報に基づいてシート状の被転写材としての用紙Ｔにトナー画像を形成する装置本体Ｍと、を備える。
なお、コピー機１の説明において、副走査方向Ｘをコピー機１の「左右方向」ともいい、主走査方向Ｙ（図１を貫く方向、図２参照）をコピー機１の「前後方向」ともいう。コピー機１の上下方向Ｚは、副走査方向Ｘ及び主走査方向Ｙと直交する。
【００１８】
まず、画像読取装置３００について説明する。
図１に示すように、画像読取装置３００は、原稿Ｇの画像を読み取る読取部３０１と、読取部３０１の上方側に配置され読取部３０１に原稿Ｇを搬送する原稿搬送部７０と、を備える。
【００１９】
読取部３０１は、筐体３０６と、筐体３０６の上方側に配置される第１読取面３０２Ａ及び第２読取面３０２Ｂと、を備える。また、読取部３０１は、筐体３０６の内部空間３０４に、光源となる発光部から受けた光を第１読取面３０２Ａ又は第２読取面３０２Ｂの原稿Ｇに照射する導光部材３４０と、複数のミラー３２１、３２２及び３２３と、副走査方向Ｘに移動するケース部材である第１枠体３１１及び第２枠体３１２と、結像レンズ３５７と、読取手段としてのＣＣＤ３５８と、ＣＣＤ３５８により読み取られた画像情報に対して所定の処理をすると共に該画像情報を装置本体Ｍ側に出力させるＣＣＤ基板３６１と、を備える。導光部材３４０及び第１ミラー３２１は、第１枠体３１１に収容される。第２ミラー３２２及び第３ミラー３２３は、第２枠体３１２に収容される。
【００２０】
導光部材３４０や光源となる発光部は、ケース部材である第１枠体３１１に組み付けられて１つにユニット化された発光ユニット４００（図２参照）として、筐体３０６に取り付けられる。
発光ユニット４００の詳細については後述する。
【００２１】
原稿搬送部７０は、読取部３０１に対して不図示の連結部により開閉可能に連結されている。原稿搬送部７０は、上方側に原稿載置部７１を有し、内部に送りローラー（図示せず）を有する。原稿搬送部７０は、読取部３０１の第１読取面３０２Ａ及び第２読取面３０２Ｂを保護する機能を有する。
【００２２】
第１読取面３０２Ａは、原稿搬送部７０により搬送される原稿Ｇを読み取る場合に用いられる読取面である。第１読取面３０２Ａは、原稿Ｇが搬送される第１コンタクトガラス３３５Ａの上面に沿って形成される。第１読取面３０２Ａは、筐体３０６における左側面近傍に位置する。なお、図１に示すこの位置を「第１読取位置」ともいう。
【００２３】
第２読取面３０２Ｂは、原稿搬送部７０を用いずに原稿Ｇを読み取る場合に用いられる読取面である。第２読取面３０２Ｂは、原稿Ｇが載置される第２コンタクトガラス３３５Ｂの上面に沿って形成される。第２読取面３０２Ｂは、第１読取面３０２Ａよりも右側であって、読取部３０１における副走査方向Ｘの大部分に亘っている。
第１読取面３０２Ａ及び第２読取面３０２Ｂは、副走査方向Ｘ及び主走査方向Ｙと直交する方向に拡がる。
【００２４】
原稿搬送部７０により搬送される原稿Ｇを読み取る場合、原稿Ｇは、原稿載置部７１に載置される。原稿載置部７１に載置された原稿Ｇは、原稿搬送部７０の内部に設けられた前記送りローラーにより、読取部３０１の第１読取面３０２Ａへ搬送される。この場合、第１枠体３１１及び第２枠体３１２は、前記第１読取位置に配置され、移動しない。そして、原稿搬送部７０により原稿Ｇが第１読取面３０２Ａの上をスライドするように搬送されることで、ＣＣＤ３５８により、原稿Ｇの表面に形成された画像が読み取られる。
【００２５】
また、原稿搬送部７０が開状態の場合、原稿Ｇは、第２読取面３０２Ｂに載置される。この場合、第１枠体３１１及び第２枠体３１２それぞれは、後述する光路Ｈの長さ（光路長）を一定に保持しながら副走査方向Ｘに移動する。これにより、第２読取面３０２Ｂに載置された原稿Ｇの画像が読み取られる。
【００２６】
筐体３０６の内部空間３０４において、複数のミラー３２１、３２２及び３２３は、原稿Ｇからの光を結像レンズ３５７に入光させるための光路Ｈを形成する。また、第１枠体３１１が副走査方向Ｘに一定速度Ａで移動すると共に、第２枠体３１２が副走査方向Ｘに一定速度Ａ／２で移動するため、画像読み取り動作時においても、光路Ｈの長さは一定に維持される。
【００２７】
次に、装置本体Ｍについて説明する。
装置本体Ｍは、所定の画像情報に基づいて用紙Ｔに所定のトナー画像を形成する画像形成部ＧＫと、用紙Ｔを画像形成部ＧＫに給紙すると共にトナー画像が形成された用紙Ｔを排紙する給排紙部ＫＨとを有する。
装置本体Ｍにおける外形は、筐体としてのケース体ＢＤにより構成される。
【００２８】
図１に示すように、画像形成部ＧＫは、像担持体（感光体）としての感光体ドラム２ａ、２ｂ、２ｃ、２ｄと、帯電部１０ａ、１０ｂ、１０ｃ、１０ｄと、露光ユニットとしてのレーザースキャナユニット４ａ、４ｂ、４ｃ、４ｄと、現像器１６ａ、１６ｂ、１６ｃ、１６ｄと、トナーカートリッジ５ａ、５ｂ、５ｃ、５ｄと、トナー供給部６ａ、６ｂ、６ｃ、６ｄと、ドラムクリーニング部１１ａ、１１ｂ、１１ｃ、１１ｄと、除電器１２ａ、１２ｂ、１２ｃ、１２ｄと、中間転写ベルト７と、１次転写ローラー３７ａ、３７ｂ、３７ｃ、３７ｄと、２次転写ローラー８と、対向ローラー１８と、定着部９と、を備える。
【００２９】
図１に示すように、給排紙部ＫＨは、給紙カセット５２と、手差し給紙部６４と、用紙Ｔの搬送路Ｌと、レジストローラー対８０と、第１排紙部５０ａと、第２排紙部５０ｂとを備える。なお、搬送路Ｌは、後述するように、第１搬送路Ｌ１と、第２搬送路Ｌ２と、第３搬送路Ｌ３と、手差し搬送路Ｌａと、戻り搬送路Ｌｂと、後処理搬送路Ｌｃとの集合体である。
【００３０】
以下、画像形成部ＧＫ及び給排紙部ＫＨの各構成について詳細に説明する。
まず、画像形成部ＧＫについて説明する。
画像形成部ＧＫにおいては、感光体ドラム２ａ、２ｂ、２ｃ、２ｄそれぞれの表面に沿って順に、上流側から下流側に順に、帯電部１０ａ、１０ｂ、１０ｃ、１０ｄによる帯電、レーザースキャナユニット４ａ、４ｂ、４ｃ、４ｄによる露光、現像器１６ａ、１６ｂ、１６ｃ、１６ｄによる現像、中間転写ベルト７及び１次転写ローラー３７ａ、３７ｂ、３７ｃ、３７ｄによる１次転写、除電器１２ａ、１２ｂ、１２ｃ、１２ｄによる除電、及びドラムクリーニング部１１ａ、１１ｂ、１１ｃ、１１ｄによるクリーニングが行われる。
また、画像形成部ＧＫにおいては、中間転写ベルト７、２次転写ローラー８及び対向ローラー１８による２次転写、並びに定着部９による定着が行われる。
【００３１】
感光体ドラム２ａ、２ｂ、２ｃ、２ｄそれぞれは、円筒形状の部材からなり、感光体又は像担持体として機能する。感光体ドラム２ａ、２ｂ、２ｃ、２ｄそれぞれは、中間転写ベルト７の進行方向に対して直交する方向に延びる回転軸を中心に矢印の方向に回転可能に配置される。感光体ドラム２ａ、２ｂ、２ｃ、２ｄそれぞれにおける表面には、静電潜像が形成され得る。
【００３２】
帯電部１０ａ、１０ｂ、１０ｃ、１０ｄそれぞれは、感光体ドラム２ａ、２ｂ、２ｃ、２ｄそれぞれの表面に対向して配置される。帯電部１０ａ、１０ｂ、１０ｃ、１０ｄそれぞれは、感光体ドラム２ａ、２ｂ、２ｃ、２ｄそれぞれの表面を一様に負（マイナス極性）又は正（プラス極性）に帯電させる。
【００３３】
レーザースキャナユニット４ａ、４ｂ、４ｃ、４ｄは、露光ユニットとして機能するものであり、感光体ドラム２ａ、２ｂ、２ｃ、２ｄそれぞれの表面から離間して配置される。レーザースキャナユニット４ａ、４ｂ、４ｃ、４ｄそれぞれは、不図示のレーザー光源、ポリゴンミラー、ポリゴンミラー駆動用モーター等を有して構成される。
【００３４】
レーザースキャナユニット４ａ、４ｂ、４ｃ、４ｄそれぞれは、読取部３０１により読み込まれた画像に関する画像情報に基づいて感光体ドラム２ａ、２ｂ、２ｃ、２ｄそれぞれの表面を走査露光する。レーザースキャナユニット４ａ、４ｂ、４ｃ、４ｄそれぞれにより走査露光されることで、感光体ドラム２ａ、２ｂ、２ｃ、２ｄそれぞれの表面の露光された部分の電荷が除去される。これにより、感光体ドラム２ａ、２ｂ、２ｃ、２ｄそれぞれの表面に静電潜像が形成される。
【００３５】
現像器１６ａ、１６ｂ、１６ｃ、１６ｄそれぞれは、感光体ドラム２ａ、２ｂ、２ｃ、２ｄにそれぞれ対応して設けられ、感光体ドラム２ａ、２ｂ、２ｃ、２ｄの表面に対向して配置される。現像器１６ａ、１６ｂ、１６ｃ、１６ｄそれぞれは、感光体ドラム２ａ、２ｂ、２ｃ、２ｄそれぞれの表面に形成された静電潜像に各色のトナーを付着させて、カラーのトナー画像を感光体ドラム２ａ、２ｂ、２ｃ、２ｄそれぞれの表面に形成する。現像器１６ａ、１６ｂ、１６ｃ、１６ｄそれぞれは、イエロー、シアン、マゼンタ、ブラックの４つの色に対応する。現像器１６ａ、１６ｂ、１６ｃ、１６ｄそれぞれは、感光体ドラム２ａ、２ｂ、２ｃ、２ｄの表面に対向配置された現像ローラー、トナー攪拌用の攪拌ローラー等を有して構成される。
【００３６】
トナーカートリッジ５ａ、５ｂ、５ｃ、５ｄそれぞれは、現像器１６ａ、１６ｂ、１６ｃ、１６ｄそれぞれに対応して設けられており、現像器１６ａ、１６ｂ、１６ｃ、１６ｄそれぞれに対して供給される各色のトナーを収容する。トナーカートリッジ５ａ、５ｂ、５ｃ、５ｄそれぞれは、イエローのトナー、シアンのトナー、マゼンタのトナー、ブラックのトナーを収容する。
【００３７】
トナー供給部６ａ、６ｂ、６ｃ、６ｄそれぞれは、トナーカートリッジ５ａ、５ｂ、５ｃ、５ｄ及び現像器１６ａ、１６ｂ、１６ｃ、１６ｄにそれぞれ対応して設けられており、トナーカートリッジ５ａ、５ｂ、５ｃ、５ｄそれぞれに収容された各色のトナーを、現像器１６ａ、１６ｂ、１６ｃ、１６ｄそれぞれに対して供給する。トナー供給部６ａ、６ｂ、６ｃ、６ｄそれぞれと現像器１６ａ、１６ｂ、１６ｃ、１６ｄそれぞれとは、不図示のトナー供給路により結ばれている。
【００３８】
中間転写ベルト７には、感光体ドラム２ａ、２ｂ、２ｃ、２ｄに形成された各色のトナー画像が順次１次転写される。中間転写ベルト７は、従動ローラー３５、駆動ローラーからなる対向ローラー１８、テンションローラー３６等に掛け渡される。テンションローラー３６が中間転写ベルト７を内側から外側に付勢するため、中間転写ベルト７には所定の張力が与えられる。
【００３９】
中間転写ベルト７を挟んで感光体ドラム２ａ、２ｂ、２ｃ、２ｄと反対の側には、１次転写ローラー３７ａ、３７ｂ、３７ｃ、３７ｄそれぞれが対向して配置される。
【００４０】
中間転写ベルト７における所定部分は、１次転写ローラー３７ａ、３７ｂ、３７ｃ、３７ｄそれぞれと、感光体ドラム２ａ、２ｂ、２ｃ、２ｄそれぞれとにより挟み込まれる。この挟み込まれた所定部分は、感光体ドラム２ａ、２ｂ、２ｃ、２ｄそれぞれにおける表面に押し当てられる。感光体ドラム２ａ、２ｂ、２ｃ、２ｄそれぞれと１次転写ローラー３７ａ、３７ｂ、３７ｃ、３７ｄそれぞれとの間で、それぞれ１次転写ニップＮ１ａ、Ｎ１ｂ、Ｎ１ｃ、Ｎ１ｄが形成される。１次転写ニップＮ１ａ、Ｎ１ｂ、Ｎ１ｃ、Ｎ１ｄそれぞれにおいて、感光体ドラム２ａ、２ｂ、２ｃ、２ｄそれぞれに現像された各色のトナー画像が中間転写ベルト７に順次１次転写される。これにより、中間転写ベルト７には、フルカラーのトナー画像が形成される。
【００４１】
１次転写ローラー３７ａ、３７ｂ、３７ｃ、３７ｄそれぞれには、不図示の１次転写バイアス印加部により、感光体ドラム２ａ、２ｂ、２ｃ、２ｄそれぞれに形成された各色のトナー画像を中間転写ベルト７に転写させるための１次転写バイアスが印加される。
【００４２】
除電器１２ａ、１２ｂ、１２ｃ、１２ｄそれぞれは、感光体ドラム２ａ、２ｂ、２ｃ、２ｄそれぞれの表面に対向して配置される。除電器１２ａ、１２ｂ、１２ｃ、１２ｄそれぞれは、感光体ドラム２ａ、２ｂ、２ｃ、２ｄそれぞれの表面に光を照射することにより、１次転写が行われた後の感光体ドラム２ａ、２ｂ、２ｃ、２ｄそれぞれの表面を除電する（電荷を除去する）。
【００４３】
ドラムクリーニング部１１ａ、１１ｂ、１１ｃ、１１ｄそれぞれは、感光体ドラム２ａ、２ｂ、２ｃ、２ｄそれぞれの表面に対向して配置される。ドラムクリーニング部１１ａ、１１ｂ、１１ｃ、１１ｄそれぞれは、感光体ドラム２ａ、２ｂ、２ｃ、２ｄそれぞれの表面に残存したトナーや付着物を除去すると共に、除去されたトナー等を所定の回収機構へ搬送して、回収させる。
【００４４】
２次転写ローラー８は、中間転写ベルト７に１次転写されたフルカラーのトナー画像を用紙Ｔに２次転写させる。２次転写ローラー８には、不図示の２次転写バイアス印加部により、中間転写ベルト７に形成されたフルカラーのトナー画像を用紙Ｔに転写させるための２次転写バイアスが印加される。
【００４５】
２次転写ローラー８は、中間転写ベルト７に対して当接したり離間したりする。具体的には、２次転写ローラー８は、中間転写ベルト７に当接される当接位置と中間転写ベルト７から離間する離間位置とに移動可能に構成される。詳細には、２次転写ローラー８は、中間転写ベルト７の表面に１次転写されたフルカラーのトナー画像を用紙Ｔに２次転写させる場合には当接位置に配置され、他の場合には離間位置に配置される。
【００４６】
中間転写ベルト７における２次転写ローラー８とは反対側には、対向ローラー１８が配置される。中間転写ベルト７における所定部分は、２次転写ローラー８と対向ローラー１８とによって挟み込まれる。そして、用紙Ｔは中間転写ベルト７の外面（トナー画像が１次転写された面）に押し当てられる。中間転写ベルト７と２次転写ローラー８との間で２次転写ニップＮ２が形成される。２次転写ニップＮ２において、中間転写ベルト７に１次転写されたフルカラーのトナー画像が用紙Ｔに２次転写される。
【００４７】
定着部９は、用紙Ｔに２次転写されたトナー画像を構成する各色のトナーを溶融及び加圧して、用紙Ｔに定着させる。定着部９は、ヒーターにより加熱される加熱回転体９ａと、加熱回転体９ａに圧接される加圧回転体９ｂと、を備える。加熱回転体９ａと加圧回転体９ｂとは、トナー画像が２次転写された用紙Ｔを挟み込んで加圧すると共に、搬送する。加熱回転体９ａと加圧回転体９ｂとの間に挟まれた状態で用紙Ｔが搬送されることによって、用紙Ｔに転写されたトナーは、溶融及び加圧されることで用紙Ｔに定着される。
【００４８】
次に、給排紙部ＫＨについて説明する。
図１に示すように、装置本体Ｍの下部には、用紙Ｔを収容する２個の給紙カセット５２が上下に配列されて配置される。給紙カセット５２は、装置本体Ｍの筐体から水平方向に引き出し可能に構成される。給紙カセット５２には、用紙Ｔが載置される載置板６０が配置される。給紙カセット５２には、用紙Ｔが載置板６０の上に積層された状態で収容される。載置板６０に載置された用紙Ｔは、給紙カセット５２における用紙送り出し側の端部（図１において左側の端部）に配置されるカセット給紙部５１により搬送路Ｌに送り出される。カセット給紙部５１は、載置板６０上の用紙Ｔを取り出すための前送りコロ６１と、用紙Ｔを１枚ずつ搬送路Ｌに送り出すための給紙ローラー対６３とからなる重送防止機構を備える。
【００４９】
装置本体Ｍの右側面（図１において右側）には、手差し給紙部６４が設けられる。手差し給紙部６４は、給紙カセット５２にセットされる用紙Ｔとは異なる大きさや種類の用紙Ｔを装置本体Ｍに供給することを主目的として設けられる。手差し給紙部６４は、閉状態において装置本体Ｍの右側面の一部を構成する手差しトレイ６５と、給紙コロ６６とを備える。手差しトレイ６５は、その下端が給紙コロ６６の近傍の装置本体Ｍに回動自在（開閉自在）に取り付けられる。開状態の手差しトレイ６５には、用紙Ｔが載置される。給紙コロ６６は、開状態の手差しトレイ６５に載置された用紙Ｔを手差し搬送路Ｌａに給紙する。
【００５０】
装置本体Ｍにおける上方側には、第１排紙部５０ａ及び第２排紙部５０ｂが設けられる。第１排紙部５０ａ及び第２排紙部５０ｂは、用紙Ｔを装置本体Ｍの外部に排紙する。第１排紙部５０ａ及び第２排紙部５０ｂの詳細については後述する。
【００５１】
用紙Ｔを搬送する搬送路Ｌは、カセット給紙部５１から２次転写ニップＮ２までの第１搬送路Ｌ１と、２次転写ニップＮ２から定着部９までの第２搬送路Ｌ２と、定着部９から第１排紙部５０ａまでの第３搬送路Ｌ３と、手差し給紙部６４から供給される用紙を第１搬送路Ｌ１に合流させる手差し搬送路Ｌａと、第３搬送路Ｌ３を上流側から下流側へ搬送する用紙を表裏反転させて第１搬送路Ｌ１に戻す戻り搬送路Ｌｂと、第３搬送路Ｌ３を上流側から下流側へ搬送する用紙を第２排紙部５０ｂに接続された後処理装置（図示せず）に搬送する後処理搬送路Ｌｃとを備える。
【００５２】
また、第１搬送路Ｌ１の途中には、第１合流部Ｐ１及び第２合流部Ｐ２が設けられている。第３搬送路Ｌ３の途中には、第１分岐部Ｑ１が設けられている。
第１合流部Ｐ１は、手差し搬送路Ｌａが第１搬送路Ｌ１に合流する合流部である。第２合流部Ｐ２は、戻り搬送路Ｌｂが第１搬送路Ｌ１に合流する合流部である。
第１分岐部Ｑ１は、後処理搬送路Ｌｃが第３搬送路Ｌ３から分岐する分岐部である。第１分岐部Ｑ１には、整流部材５８が設けられている。整流部材５８は、定着部９から搬出された用紙Ｔの搬送方向を、第１排紙部５０ａに向かう第３搬送路Ｌ３又は第２排紙部５０ｂに向かう後処理搬送路Ｌｃに整流させる（切り換える）。
【００５３】
第１搬送路Ｌ１の途中（詳細には、第２合流部Ｐ２と２次転写ローラー８との間）には、用紙Ｔを検出するためのセンサーと、用紙Ｔのスキュー（斜め給紙）補正や画像形成部ＧＫにおけるトナー画像の形成と用紙Ｔの搬送のタイミングを合わせるためのレジストローラー対８０とが配置される。センサーは、用紙Ｔの搬送方向におけるレジストローラー対８０の直前（搬送方向における上流側）に配置される。レジストローラー対８０は、センサーからの検出信号情報に基づいて上述の補正やタイミング調整をして用紙Ｔを搬送する一対のローラーである。
【００５４】
戻し搬送路Ｌｂは、用紙Ｔに両面印刷を行う際に、既に印刷されている面とは反対面（未印刷面）を中間転写ベルト７に対向させるために設けられる搬送路である。戻し搬送路Ｌｂによれば、第１分岐部Ｑ１から排紙部５０側に搬送された用紙Ｔを表裏反転させて第１搬送路Ｌ１に戻して、２次転写ローラー８の上流側に配置されたレジストローラー対８０の上流側に搬送させることができる。戻し搬送路Ｌｂにより表裏反転された用紙Ｔには、２次転写ニップＮ２において未印刷面に対して所定のトナー画像が転写される。
【００５５】
第３搬送路Ｌ３における端部には、第１排紙部５０ａが形成される。第１排紙部５０ａは、装置本体Ｍにおける上方側に配置される。第１排紙部５０ａは、装置本体Ｍの右側面側（図１において右側、手差し給紙部６４側）に向けて開口している。第１排紙部５０ａは、第３搬送路Ｌ３を搬送される用紙Ｔを装置本体Ｍの外部に排紙する。
【００５６】
第１排紙部５０ａにおける開口側には、排紙集積部Ｍ１が形成される。排紙集積部Ｍ１は、装置本体Ｍにおける上面（外面）に形成される。排紙集積部Ｍ１は、装置本体Ｍにおける上面が下方に窪んで形成された部分である。排紙集積部Ｍ１の底面は、装置本体Ｍにおける上面の一部を構成する。排紙集積部Ｍ１には、所定のトナー画像が形成され第１排紙部５０ａから排紙された用紙Ｔが積層して集積される。
【００５７】
後処理搬送路Ｌｃにおける端部には、第２排紙部５０ｂが形成される。第２排紙部５０ｂは、装置本体Ｍにおける上方側に配置される。第２排紙部５０ｂは、装置本体Ｍの左側面側（図１において左側、後処理装置が連結される側）に向けて開口している。第２排紙部５０ｂは、後処理搬送路Ｌｃを搬送される用紙Ｔを装置本体Ｍの外部に排紙する。
第２排紙部５０ｂにおける開口側には、後処理装置（図示せず）が連結される。後処理装置は、画像形成装置（コピー機１）から排出される用紙の後処理（ステープル、パンチ等）を行うものである。
なお、各搬送路の所定位置には用紙検出用のセンサーが配置される。
【００５８】
次に、主搬送路Ｌ１〜Ｌ３（第１搬送路Ｌ１、第２搬送路Ｌ２及び第３搬送路Ｌ３を合わせて以下「主搬送路」ともいう）及び戻り搬送路Ｌｂにおける紙詰まり（ＪＡＭ）を解消するための構造について簡単に説明する。
図１に示すように、装置本体Ｍの左側面側（図１において左側）には、主搬送路Ｌ１〜Ｌ３及び戻り搬送路Ｌｂが主に上下方向に延びるように並列している。装置本体Ｍの左側面側（図１において左側）には、装置本体Ｍの側面の一部を形成するように、カバー体４０が設けられている。カバー体４０は、その下端部において、支点軸４３を介して装置本体Ｍに連結されている。支点軸４３は、その軸方向が主搬送路Ｌ１〜Ｌ３及び戻り搬送路Ｌｂを横断する方向に沿って配設されている。カバー体４０は、支点軸４３を中心として閉位置（図１に示す位置）と開位置（図示せず）との間を回動自在に構成されている。
【００５９】
カバー体４０は、支点軸４３によって装置本体Ｍに回動自在に連結された第１のカバー部４１と、同じ支点軸４３によって装置本体Ｍに回動自在に連結された第２のカバー部４２とから構成されている。第１のカバー部４１は、第２のカバー部４２よりも装置本体Ｍの外側（側面側）に位置する。なお、図１において、左下がりの破線でハッチングされた部分が第１のカバー部４１であり、右下がりの破線でハッチングされた部分が第２のカバー部４２である。
【００６０】
カバー体４０が閉位置に位置する状態において、第１のカバー部４１は、その外面側が装置本体Ｍの外面（側面）の一部を形成している。
また、カバー体４０が閉位置に位置する状態において、第２のカバー部４２は、その内面側（装置本体Ｍ側）が主搬送路Ｌ１〜Ｌ３の一部を形成している。
更に、カバー体４０が閉位置に位置する状態において、第１のカバー部４１の内面側と第２のカバー部４２の外面側とが、戻り搬送路Ｌｂの少なくとも一部を形成している。つまり、戻り搬送路Ｌｂは、第１のカバー部４１と第２のカバー部４２との間に形成されている。
【００６１】
本実施形態のコピー機１は、このような構成のカバー体４０を備えることにより、主搬送路Ｌ１〜Ｌ３で紙詰まり（ＪＡＭ）が発生した際には、カバー体４０を図１に示す閉位置から、開位置（図示せず）に回動して主搬送路Ｌ１〜Ｌ３を開放することにより、主搬送路Ｌ１〜Ｌ３に詰まった用紙を処理することができる。一方、戻り搬送路Ｌｂで紙詰まりが発生した際には、カバー体４０を開位置に回動した後、支点軸４３を中心に第２のカバー部４２を装置本体Ｍ側（図１において右側）に回動させて戻り搬送路Ｌｂを開放することにより、戻り搬送路Ｌｂに詰まった用紙を処理することができる。
【００６２】
次に、図２から図１１Ｄにより、画像読取装置３００を構成する発光ユニット４００について説明する。
図２は、画像読取装置３００に組み込まれる発光ユニット４００の斜視図である。図３は、図２の状態からカバー部材３１１ｂ及びカバー部材３１１ｃを取り外した発光ユニット４００の斜視図である。図４は、導光部材３４０及びＬＥＤ基板４３０を保持させた状態の保持部材４２０における平面図である。図５は、保持部材４２０の先端側部材４２７とＬＥＤ基板４３０との位置決め構造を説明するための図である。図６は、導光部材３４０における斜視図である。図７は、図４における領域Ａの部分拡大図である。図８は、導光部材３４０における位置決め構造を説明する図である。図９は、保持部材４２０の基端側部材４２５に形成された基端側孔状部４２３ａと導光部材３４０の基端部との位置決め構造を説明するための図である。図１０は、保持部材４２０の先端側部材４２７に形成された先端側孔状部４２３ｂと導光部材３４０の先端部との位置決め構造を説明するための図である。図１１Ａは、導光部材３４０を取り付ける手順を説明する図である。図１１Ｂは、導光部材３４０を取り付ける手順を説明する図である。図１１Ｃは、導光部材３４０を取り付ける手順を説明する図である。図１１Ｄは、導光部材３４０を取り付ける手順を説明する図である。
【００６３】
発光ユニット４００は、発光部としてのＬＥＤ４１０（図５参照）と、導光部材３４０と、保持部材４２０と、保持部材４２０を所定の位置に位置決めした状態で収容するケース部材である第１枠体３１１と、を備える。
【００６４】
第１枠体３１１は、図２及び図３に示すように、上部が開口した略箱状の本体枠３１１ａと、本体枠３１１ａにおける上部の開口を覆う２つのカバー部材３１１ｂ，３１１ｃとを備える。
カバー部材３１１ｂとカバー部材３１１ｃとは、図２に示すように、第１枠体３１１の上面に主走査方向Ｙに沿って延在する開口部３１１ｄが形成されるように、副走査方向Ｘに離間して本体枠３１１ａの上部に取り付けられる。
【００６５】
開口部３１１ｄは、保持部材４２０を介して本体枠３１１ａに組み付けられる導光部材３４０を露出させる開口である。開口部３１１ｄは、導光部材３４０から出射する光を遮蔽せず、第１読取面３０２Ａ又は第２読取面３０２Ｂ側に照射させるための開口である。
【００６６】
本体枠３１１ａは、図３に示すように、主走査方向Ｙにおける両外側に互いに対向して配置される外側壁部３１１１，３１１２を有する。
外側壁部３１１１及び外側壁部３１１２における上面には、保持部材４２０が載置されると共に位置決めされた状態で保持される。
ここで、外側壁部３１１１は、保持部材４２０における基端側に対応する部分である。また、外側壁部３１１２は、保持部材４２０における先端側に対応する部分である。
【００６７】
具体的には、外側壁部３１１１には、保持部材４２０の基端側に係合する位置決めピン（不図示）が設けられる。
保持部材４２０における基端側が外側壁部３１１１上に載置されると共に、保持部材４２０の基端側に配置される基端側部材４２５に形成された位置決め孔（不図示）に位置決めピンが嵌合される。これにより、保持部材４２０における基端側は、本体枠３１１ａにおける外側壁部３１１１上の所定位置に位置決めされる（係合される）。
【００６８】
また、外側壁部３１１２には、保持部材４２０の先端側に係合する位置決め突起（不図示）が設けられる。
保持部材４２０における先端側が外側壁部３１１２上に載置されると共に、保持部材４２０の先端側に配置される先端側部材４２７に形成された切り欠き部（不図示）に位置決め突起が嵌合される。これにより、保持部材４２０における先端側は、本体枠３１１ａにおける外側壁部３１１１上の所定位置に位置決めされる。
保持部材４２０における基端側は、本体枠３１１ａにおける外側壁部３１１１上の所定位置に位置決めされる（係合される）。
【００６９】
上述の通り、保持部材４２０は、本体枠３１１ａに位置決めされた状態で取り付けられる。
ここで、保持部材４２０には、図４に示すように、導光部材３４０及びＬＥＤ基板４３０（ＬＥＤ４１０）が所定の位置関係に位置決めされる。そして、保持部材４２０に位置決めされた導光部材３４０やＬＥＤ４１０は、保持部材４２０が本体枠３１１ａに位置決め保持されることで、所定の位置に位置決めされる。
【００７０】
続けて、ＬＥＤ４１０、ＬＥＤ基板４３０、導光部材３４０及び保持部材４２０について詳述する。具体的には、保持部材４２０に導光部材３４０が取り付けられた取り付け構造について説明する。
【００７１】
ＬＥＤ４１０は、発光部として機能するＬＥＤ（Ｌｉｇｈｔ  Ｅｍｉｔｔｉｎｇ  Ｄｉｏｄｅ）である。本実施形態において、ＬＥＤ４１０は、１つである。
ＬＥＤ４１０は、導光部材３４０における先端３４０ｂ側に配置される。具体的には、ＬＥＤ４１０は、発光面が導光部材３４０における先端３４０ｂの端面に対向して配置される。ＬＥＤ４１０は、先端３４０ｂの端面に向けて光を照射する。
【００７２】
ＬＥＤ４１０は、図５に示すように、ＬＥＤ基板４３０上に実装されている。
ＬＥＤ基板４３０は、保持部材４２０の一端側に形成されるＬＥＤ基板保持部４２２により、保持部材４２０における所定の位置（所定の向き）に位置決め保持される。
【００７３】
ＬＥＤ基板保持部４２２は、図５に示すように、一対の位置決め突起４２２ａ，４２２ｂを有する。位置決め突起４２２ａ，４２２ｂは、板状の先端側部材４２７における外表面に突設される。
位置決め突起４２２ａ，４２２ｂは、ＬＥＤ基板４３０の位置決め孔４３５ａ、４３５ｂに嵌入する突起である。位置決め突起４２２ａ，４２２ｂは、ＬＥＤ基板４３０の位置決め孔４３５ａ、４３５ｂに嵌合することで、ＬＥＤ基板４３０に実装されたＬＥＤ４１０を発光面が後述の導光部材３４０の先端３４０ｂ側の端面と主走査方向Ｙ方向において対向するように位置決めする。
位置決め突起４２２ａ，４２２ｂ（ＬＥＤ基板保持部４２２）は、ＬＥＤ基板４３０を介して間接的にＬＥＤ４１０を位置決め保持する。
【００７４】
導光部材３４０は、図２に示すように、主走査方向Ｙに沿って配置される棒状の導光性の部材である。導光部材３４０は、図９及び図１０に示すように、横断面形状が略多角形状に形成される。導光部材３４０は、アクリル樹脂等で構成される導光性の部材である。
【００７５】
導光部材３４０は、導光部材保持機構４５０（保持部）により、先端３４０ｂ側（ＬＥＤ４１０側の端部側）の端部が主走査方向Ｙに移動しないように位置決め保持される共に、基端３４０ａ側（前記発光部と反対側）の端部が主走査方向Ｙに移動可能に保持部材４２０に保持される。
【００７６】
具体的には、導光部材３４０は、保持部材４２０に形成された導光部材保持部４２３（先端側孔状部４２３ｂ）に先端３４０ｂが位置決め保持されると共に、導光部材保持部４２３（基端側孔状部４２３ａ）に基端３４０ａが位置決め保持されることで、保持部材４２０に位置決め保持される。この保持のみの場合、導光部材３４０は、回転移動は完全に規制されているが、主走査方向Ｙにおける移動は完全には規制されていない。導光部材３４０は、主走査方向Ｙに所定の力が加えられた場合や導光部材３４０が熱膨張した場合、主走査方向Ｙにおける両方向に移動可能に保持部材４２０に保持される。特に、導光部材３４０が熱膨張により主走査方向Ｙに伸張する場合、導光部材３４０は、主走査方向Ｙにおけるいずれの方向にも伸張（端部が移動）可能である。
【００７７】
更に、導光部材３４０は、後述する被規制部７００が後述する第１移動規制部６００及び第２移動規制部６５０によりに当接されることで、先端３４０ｂ側の端部における主走査方向Ｙへの移動が規制される。
導光部材３４０は、先端３４０ｂ側の端部がＬＥＤ４１０側に移動することが規制され、基端３４０ａ側の端部がＬＥＤ４１０側と反対側に移動することが規制されない状態で、保持部材４２０に保持される。
【００７８】
この状態において、ＬＥＤ４１０からの熱で導光部材３４０が熱膨張した場合、基端３４０ａ側の端部はＬＥＤ４１０側と反対側に移動するが、先端３４０ｂ側の端部は移動されずＬＥＤ４１０との位置関係（距離）は維持される。
また、導光部材３４０における具体的な構成は以下の通りである、
【００７９】
導光部材３４０は、先端３４０ｂ側の端面がＬＥＤ４１０における発光面に対向して配置される。
導光部材３４０は、先端３４０ｂ側に配置されたＬＥＤ４１０から照射された光を当該導光部材３４０の長手方向（主走査方向）に導光すると共に、後述する光照射部３４１に導光する。
【００８０】
導光部材３４０は、外周面の一部に主走査方向Ｙに沿って形成される光照射部３４１を有する。光照射部３４１は、内部で導光した光を外部に光を照射する部分である。
光照射部３４１は、導光部材３４０が保持部材４２０を介して第１枠体３１１に保持された状態において、第１読取面３０２Ａ又は第２読取面３０２Ｂに光Ｈを照射可能となるように所定方向を向いて配置される。
【００８１】
また、導光部材３４０は、図６に示すように、外周に長手方向（主走査方向Ｙ）に沿って延びるように形成される凸状部３４２，３４３，３４４を有する。凸状部３４２，３４３，３４４は、導光部材３４０を保持部材４２０に保持させる際に、導光部材３４０が誤った向きで取り付けられることを防止するためのものである。
【００８２】
凸状部３４２は、図９に示すように、外周面において光照射部３４１とは略反対側（対向する位置）に形成される。
凸状部３４２は、図１０に示すように、導光部材３４０の長手方向における全域に形成される。凸状部３４２の先端面３４２ａは、凸状部３４２の突出方向（図９の矢印Ｒ１方向）と直交する平坦面である。
【００８３】
凸状部３４３及び凸状部３４４は、外周面において光照射部３４１と凸状部３４２との間に形成される。凸状部３４３及び凸状部３４４は、互いに対向する位置に形成される。凸状部３４３及び凸状部３４４の突出方向は、図９に示すように、凸状部３４２の突出方向（矢印Ｒ１方向）とは直交する方向（矢印Ｒ２方向）である。
【００８４】
凸状部３４３，３４４は、図６に示すように、導光部材３４０における基端３４０ａ側に形成される。
具体的には、凸状部３４３，３４４は、基端３４０ａを始端として所定長さの範囲のみに形成され、先端３４０ｂ側には形成されていない。
そして、凸状部３４３，３４４それぞれは、基端３４０ａから離れるに従って、導光部材３４０の径方向外方への突出長が徐々に減少するテーパー状の隆起構造になっている。また、凸状部３４３，３４４の先端面３４３ａ，３４４ａは、図９に示した突出方向（矢印Ｒ２方向）に直交する平坦面である。
【００８５】
導光部材３４０は、図７及び図８により、主走査方向Ｙにおける先端３４０ｂ側（ＬＥＤ４１０側の端部側）に主走査方向Ｙと直交する方向に突出する被規制部７００（突出部）を有する。
被規制部７００は、導光部材３４０における先端３４０ｂ側に形成される。
被規制部７００は、第１部７１０と、第１部７１０におけるＬＥＤ４１０側に連続して形成される第２部７２０とを有する。
【００８６】
第１部７１０は、第２部７２０におけるＬＥＤ４１０側と反対側に第２部７２０と連続して形成される部分である。
第１部７１０は、主走査方向Ｙと直交する方向における突出量（突出長さ）が第２部７２０よりも小さい（短い）部分である。
第１部７１０におる上面７１０ａには、導光部材３４０が所定位置に位置決め保持された状態において、後述する第２移動規制部６５０が載置される。
【００８７】
第２部７２０は、第１部７１０におけるＬＥＤ４１０側に第１部７１０と連続して形成される部分である。
第２部７２０は、主走査方向Ｙと直交する方向における突出量（突出長さ）が第１部７１０よりも大きい（長い）部分である。
第２部７２０は、保持部材４２０に形成された第１移動規制部６００（第１当接部）と、第２移動規制部６５０（第２当接部）とに当接される部分である。
【００８８】
第２部７２０は、第１被当接面７２２と、第２被当接面７２１と、上面７２３とを有する。
第１被当接面７２２は、第２部７２０の主走査方向ＹにおけるＬＥＤ４１０側に形成される面である。第１被当接面７２２は、後述する第１移動規制部６００における当接面６１０に当接される面である。
【００８９】
第２被当接面７２１は、第２部７２０の主走査方向ＹにおけるＬＥＤ４１０側と反対側に形成される面である。第２被当接面７２１は、後述する第２移動規制部６５０における先端部６５３に当接される面である。
【００９０】
上面７２３は、第２部７２０における主走査方向Ｙと直交する方向の端面であって、第１被当接面７２２と第２被当接面７２１とに連続して形成される面である。
上面７２３は、導光部材３４０を保持部材４２０に取り付ける際において、第２移動規制部６５０の先端当接面６５３ａに当接（摺動）される面である。
【００９１】
上述の通り、導光部材３４０は、第２部７２０における第１被当接面７２２が第１移動規制部６００に当接され、第２部７２０における第２被当接面７２１が第２移動規制部６５０に当接されることで、先端３４０ｂ側の端部における移動が規制される。
これにより、導光部材３４０は、先端３４０ｂにおける端面とＬＥＤ４１０との距離が一定に維持された状態で、保持部材４２０に保持される。
【００９２】
保持部材４２０は、図４に示すように、光反射部４２１と、ＬＥＤ基板保持部４２２と、導光部材保持機構４５０（保持部）とを有する。保持部材４２０は、ＬＥＤ４１０及び導光部材３４０を、所定の位置及び向きに位置決めして保持する部材である。
【００９３】
光反射部４２１は、導光部材３４０における光照射部３４１側と反対側の外周面に対向して配置される部材である。光反射部４２１は、導光部材３４０に対して長手方向（主走査方向Ｙ）の全域にわたって対向して配置される。
【００９４】
光反射部４２１は、導光部材３４０における外周に対向する内面を有する。内面は、光を反射する反射面になっている。内面は、導光部材３４０の外周面から内面に向かって出射された光（導光部材３４０から漏れた光）を、導光部材３４０に向けて反射させる。内面は、導光部材３４０から漏れた光を光照射部３４１における光の出射方向と同じ方向に反射して、導光部材３４０における照射効率を向上させる。
【００９５】
ＬＥＤ基板保持部４２２は、図５に示すように、先端側部材４２７に形成された一対の位置決め突起４２２ａ，４２２ｂを有して構成される。
位置決め突起４２２ａ，４２２ｂは、ＬＥＤ基板４３０の位置決め孔４３５ａ、４３５ｂに嵌合することで、ＬＥＤ基板４３０を位置決め保持する。
位置決め突起４２２ａ，４２２ｂ（ＬＥＤ基板保持部４２２）は、ＬＥＤ基板４３０を介して、ＬＥＤ基板４３０に実装されたＬＥＤ４１０を導光部材３４０における先端３４０ｂ側の端面に対向した状態で位置決め保持する。
【００９６】
導光部材保持機構４５０は、導光部材保持部４２３と、第１移動規制部６００と、第２移動規制部６５０と、を有する。
導光部材保持機構４５０は、導光部材３４０を主走査方向Ｙに沿うように配置すると共に、主走査方向Ｙにおける先端３４０ｂ側の端部を位置決め保持する。
導光部材保持機構４５０は、先端３４０ｂの端部が主走査方向Ｙに移動しないように位置決め保持すると共に、基端３４０ａと反対側の端部が主走査方向Ｙに移動可能に導光部材３４０を保持する。
【００９７】
導光部材保持部４２３は、基端側孔状部４２３ａと、先端側孔状部４２３ｂとを有して構成される。
導光部材保持部４２３は、基端側孔状部４２３ａが導光部材３４０の基端３４０ａ側に被嵌すると共に、先端側孔状部４２３ｂが導光部材３４０の先端３４０ｂ側に被嵌して、導光部材３４０を位置決め保持する。
【００９８】
基端側孔状部４２３ａは、保持部材４２０の基端側部材４２５に形成された概略六角形状の貫通孔である。
基端側孔状部４２３ａは、図９に示すように、導光部材３４０の凸状部３４２が主走査方向Ｙに摺動可能に嵌合するガイド溝４２３１と、凸状部３４３の先端面３４３ａが主走査方向Ｙに摺動可能に面接触する第１平坦縁４２３２と、凸状部３４４の先端面３４４ａが主走査方向Ｙに摺動可能に面接触する第２平坦縁４２３３と、内周縁におけるガイド溝４２３１と対向する部分であって導光部材３４０の外周面と非接触となる非接触縁部４２３４とを備える。
【００９９】
基端側孔状部４２３ａは、ガイド溝４２３１と凸状部３４２との嵌合、第１平坦縁４２３２と凸状部３４２との面接触、及び第２平坦縁４２３３と凸状部３４４との面接触により、導光部材３４０における基端３４０ａを、回転及び主走査方向Ｙへの移動を規制した状態で位置決めする。
ここで、ガイド溝４２３１は、導光部材３４０の移動をガイドすると共に、導光部材３４０が本来と異なる態様（異なる回転角度）で挿入されることを抑制する機能を奏する。
【０１００】
先端側孔状部４２３ｂは、図１０に示すように、保持部材４２０の先端側部材４２７に形成された概略四角形状の貫通孔である。
先端側孔状部４２３ｂは、図１０に示すように、導光部材３４０の凸状部３４２が主走査方向Ｙに摺動可能に嵌合するガイド溝４２３６と、導光部材３４０の外周を形成する第１外周平面３４６が主走査方向Ｙに摺動可能に面接触する第３平坦縁４２３７と、第１外周平面３４６と対向する第２外周平面３４７が主走査方向Ｙに摺動可能に面接触する第４平坦縁４２３８と、ガイド溝４２３６と対向する部分であって導光部材３４０の外周面と非接触となる非接触縁部４２３９とを備える。
【０１０１】
先端側孔状部４２３ｂは、ガイド溝４２３６と凸状部３４２との嵌合、第３平坦縁４２３７と第１外周平面３４６との面接触、及び第４平坦縁４２３８と第２外周平面３４７との面接触により、導光部材３４０の先端３４０ｂを、回転及び主走査方向Ｙへの移動を規制した状態で位置決めする。
【０１０２】
第１移動規制部６００及び第２移動規制部６５０は、保持部材４２０において、導光部材３４０の先端３４０ｂ側に対応する位置に形成される。
第１移動規制部６００は、被規制部７００における主走査方向ＹのＬＥＤ４１０側に当接する部分である。また、第２移動規制部６５０は、被規制部７００における主走査方向ＹのＬＥＤ４１０側と反対側に当接する部分である。
第１移動規制部６００は、導光部材３４０先端３４０ｂが主走査方向ＹにおけるＬＥＤ４１０側に移動すること規制する規制部である。また、第２移動規制部６５０は、導光部材３４０の先端３４０ｂが主走査方向ＹにおけるＬＥＤ４１０側と反対側へ移動することを規制する規制部である。
【０１０３】
第１移動規制部６００は、先端側部材４２７から主走査方向ＹにおけるＬＥＤ４１０側と反対側に突出して形成される。
第１移動規制部６００は、主走査方向ＹにおけるＬＥＤ４１０側と反対側に形成される当接面６１０を有する。
当接面６１０は、被規制部７００における第１被当接面７２２に当接する面である。
【０１０４】
第１移動規制部６００は、当接面６１０が被規制部７００の第１被当接面７２２（主走査方向ＹにおけるＬＥＤ４１０側）に当接することで、導光部材３４０の先端３４０ｂにおけるＬＥＤ４１０側への移動を規制する。
【０１０５】
第２移動規制部６５０は、主走査方向Ｙに延びるように形成され、ＬＥＤ４１０側が自由端である片持状の部材ある。第２移動規制部６５０は、自由端が第１移動規制部６００に所定距離だけ離間すると共に、第１移動規制部６００に対向して配置されるよう構成される。第２移動規制部６５０は、自由端側が導光部材３４０から離間するように弾性変形（撓み変形）可能に構成される。
【０１０６】
第２移動規制部６５０は、基端側の基端部６５１と、自由端側の先端部６５３とを有する。
基端部６５１は、主走査方向Ｙと略平行に延びるようにして配置され、自由端が導光部材３４０から離間するように変形する際に撓む部分である。
先端部６５３は、自由端側が導光部材３４０に向かうように傾斜して配置され、自由端に形成される先端当接面６５３ａを有する部分である。
先端当接面６５３ａは、被規制部７００の第２部７２０における第２被当接面７２１に当接する面である。
【０１０７】
第２移動規制部６５０は、先端当接面６５３ａが被規制部７００の第２被当接面７２１（主走査方向ＹにおけるＬＥＤ４１０側と反対側）に当接することで、導光部材３４０の先端３４０ｂにおけるＬＥＤ４１０側と反対側への移動を規制する。
【０１０８】
第２移動規制部６５０は、被規制部７００の主走査方向ＹにおけるＬＥＤ４１０側へ向かう移動は規制しない。
第２移動規制部６５０は、ＬＥＤ４１０側へ移動する被規制部７００に当接及び押圧されて自由端側が主走査方向Ｙに直交する方向に導光部材３４０から離間するように撓み変形するので、被規制部７００（導光部材３４０）の当該移動を規制しない（許可する）。
【０１０９】
第２移動規制部６５０は、被規制部７００の主走査方向ＹにおけるＬＥＤ４１０側と反対側へ向かう移動は規制する。第２移動規制部６５０は、被規制部７００における第２被当接面７２１に当接した状態において、被規制部７００の主走査方向ＹにおけるＬＥＤ４１０側と反対側へ向かう移動を規制する。
【０１１０】
本実施形態において、第２移動規制部６５０は、被規制部７００における第１部７１０の上面７１１に載置された状態で、第２部７２０の第２被当接面７２１に当接する。
ここで、第２移動規制部６５０は、自然状態を基準として撓み変形した状態であるため、撓み変形により生じた弾性力により、先端当接面６５３ａが第２被当接面７２１を押圧した状態で維持される。これにより、第２移動規制部６５０は、被規制部７００を第１移動規制部６００側に向かうよう付勢した状態で被規制部７００に当接する。
【０１１１】
上記より、保持部材４２０は、導光部材３４０におけるＬＥＤ４１０側の端面がＬＥＤ４１０から所定距離だけ離間した状態で導光部材３４０を保持する。
【０１１２】
本実施形態において、ＬＥＤ４１０は、ＬＥＤ基板保持部４２２によりＬＥＤ基板４３０を介して保持部材４２０に位置決め保持される。また、導光部材３４０は、導光部材保持機構４５０により保持部材４２０に位置決め保持される。
つまり、保持部材４２０は、ＬＥＤ４１０及び導光部材３４０を位置決め保持する。
そして、保持部材４２０は、位置決めピン５１１及び位置決め突起５１２により、本体枠３１１ａ（第１枠体３１１）に位置決め保持される。
これにより、簡易な構成でＬＥＤ４１０及び導光部材３４０が高精度に位置決めされた画像読取装置３００（発光ユニット４００）が得られる。
【０１１３】
続けて、図１１Ａから図１１Ｄにより、発光ユニット４００の組み立て手順について説明する。
まず、作業者は、先端３４０ｂを前側にして導光部材３４０を保持部材４２０における基端側孔状部４２３ａに挿入する。具体的には、作業者は、凸状部３４２がガイド溝４２３１に嵌入されるようにして先端３４０ｂを基端側孔状部４２３ａに挿入する。
【０１１４】
続けて、作業者は、導光部材３４０を矢印ｆ方向に更に挿入する（図４参照）。そして、作業者は、導光部材３４０における先端３４０ｂを先端側孔状部４２３ｂに嵌合させると共に、基端３４０ａを基端側孔状部４２３ａに嵌合させる。
【０１１５】
詳細には、作用者が図１１Ａの状態から導光部材３４０を矢印ｆ方向に更に挿入すると、図１１Ｂに示すように、被規制部７００の第２部７２０における端部が第２移動規制部６５０の先端部６５３の下面に当接される。
【０１１６】
また、作用者が図１１Ｂの状態から導光部材３４０を矢印ｆ方向に更に挿入すると、図１１Ｃに示すように、第２移動規制部６５０は、自由端が矢印ｔ１方向に導光部材３４０から離間するように撓み変形する。
そして、被規制部７００におけるＬＥＤ４１０側への移動が規制されないので、導光部材３４０は、主走査方向ＹにおけるＬＥＤ４１０側に移動される。第２移動規制部６５０における自由端（先端当接面６５３ａ）は被規制部７００の第２部７２０の上面７２３に載置した状態（撓み変形した状態）である。この状態において、導光部材３４０は、ＬＥＤ４１０側に移動される。
【０１１７】
また、作用者が図１１Ｃの状態から導光部材３４０を矢印ｆ方向に更に挿入すると、図１１Ｄに示すように、被規制部７００の第２部７２０における第１被当接面７２２は、第１移動規制部６００における当接面６１０に当接される。
また、第２移動規制部６５０は、自由端が矢印ｔ２方向に導光部材３４０に近づくように変形する。そして、第２移動規制部６５０は、自由端が第１部７１０の上面７１１に載置されると共に、先端当接面６５３ａが被規制部７００の第２部７２０における第２被当接面７２１に当接した状態になる。
また、導光部材３４０における先端３４０ｂが先端側孔状部４２３ｂに嵌合されると共に、基端３４０ａが基端側孔状部４２３ａに嵌合される。
【０１１８】
これにより、導光部材３４０は、先端３４０ｂが、第１移動規制部６００により主走査方向ＹにおけるＬＥＤ４１０側に移動することが規制され、第２移動規制部６５０により主走査方向ＹにおけるＬＥＤ４１０側と反対側に移動することが規制された状態で、保持部材４２０に保持される。
【０１１９】
この状態において、導光部材３４０における基端３４０ａは、主走査方向ＹにおけるＬＥＤ４１０側と反対側に移動可能である。本実施形態において、導光部材３４０は、ＬＥＤ４１０からの熱により熱膨張した場合、先端３４０ｂ側がＬＥＤ４１０側に移動しないよう構成されているので、基端３４０ａ側が熱膨張に応じて移動される。
本実施形態において、導光部材３４０の先端３４０ｂ側の端面は、ＬＥＤ４１０における発光面との距離が一定距離で維持される。
上述より、導光部材３４０は、光反射部４２１との位置関係や光照射部３４１の向きが調整された状態で保持部材４２０に位置決め保持される。
【０１２０】
続けて、作業者は、ＬＥＤ基板４３０を保持部材４２０に取り付ける。具体的には、作業者は、ＬＥＤ基板４３０に形成される位置決め孔４３５ａ、４３５ｂを保持部材４２０に形成される位置決め突起４２２ａ，４２２ｂ（ＬＥＤ基板保持部４２２）に被嵌させることで、ＬＥＤ基板４３０を保持部材４２０に取り付ける。
これにより、ＬＥＤ４１０は、ＬＥＤ基板４３０を介して、発光面が導光部材３４０の基端３４０ａ側の端面に対向した状態で位置決め保持される。
【０１２１】
続けて、作業者は、ＬＥＤ４１０及び導光部材３４０を位置決め保持する保持部材４２０を本体枠３１１ａ（第１枠体３１１）に取り付ける。
具体的には、作業者は、図３に示すように、保持部材４２０を第１枠体３１１における本体枠３１１ａの両外側壁部３１１１，３１１２に載置する。
作業者は、保持部材４２０における先端３４０ｂ側に形成された位置決め孔４２６を保持部材４２０における位置決めピン５１１に被嵌されると共に、基端３４０ａ側に形成された切り欠き部４２８を位置決め突起５１２が被嵌させる。
これにより、保持部材４２０は、本体枠３１１ａ（第１枠体３１１）に位置決め保持される。
【０１２２】
続けて、作業者は、図２に示すように、本体枠３１１ａの上部開口部を覆うように２つのカバー部材３１１ｂ，３１１ｃを配置する。
これにより、本実施形態における発光ユニット４００が組み立てられる。
【０１２３】
本実施形態によれば、簡易な構成で導光部材を高い精度で位置決め可能な画像読取装置を提供することができる。
【０１２４】
また、本実施形態によれば、画像読取装置３００は、導光部材３４０を主走査方向Ｙに沿うように配置すると共に、主走査方向Ｙにおける導光部材３４０側の端部を位置決め保持する導光部材保持機構４５０（保持部材４２０）を有する。
これにより、画像読取装置３００は、ＬＥＤ４１０と導光部材３４０における端面との距離を一定に維持できる。
【０１２５】
また、本実施形態によれば、画像読取装置３００は、導光部材３４０が第１移動規制部６００により主走査方向ＹにおけるＬＥＤ４１０側への移動が規制されると共に、第２移動規制部６５０により主走査方向ＹにおけるＬＥＤ４１０側と反対側への移動が規制される。
これより、画像読取装置３００は、高い精度で導光部材３４０を位置決め保持できる。
【０１２６】
また、本実施形態によれば、画像読取装置３００は、ＬＥＤ４１０側の先端３４０ｂにおいて第１移動規制部６００及び第２移動規制部６５０により導光部材３４０の移動を規制しているので、導光部材３４０が熱膨張した場合にはＬＥＤ４１０側と反対側の基端３４０ａが主走査方向Ｙに移動する。
これにより、画像読取装置３００は、導光部材３４０が熱膨張した場合であっても、ＬＥＤ４１０と導光部材３４０の端面との距離が一定に維持される。
【０１２７】
また、本実施形態によれば、ＬＥＤ４１０と導光部材３４０の端面との位置関係は非常に重要であって高精度の位置決めが必要であるところ、画像読取装置３００は、高精度の位置決めが必要な導光部材３４０の先端３４０ｂ近傍で、導光部材３４０の位置決め（移動の規制）を行う構造を有する。
これにより、画像読取装置３００は、導光部材３４０において、高精度な位置決めを達成すると共に当該位置め状態を維持する。
【０１２８】
また、本実施形態によれば、画像読取装置３００は、第２移動規制部６５０が被規制部７００の主走査方向ＹにおけるＬＥＤ４１０側へ向かう移動は規制せず、主走査方向ＹにおけるＬＥＤ４１０側と反対側への移動は規制するよう構成される。
これにより、画像読取装置３００は、作業者が導光部材３４０を保持部材４２０に挿入するだけで、導光部材３４０を上述のように位置決め保持させることができる。
【０１２９】
また、本実施形態によれば、画像読取装置３００は、保持部材４２０が導光部材３４０におけるＬＥＤ４１０側の端面がＬＥＤ４１０から所定距離だけ離間した状態で導光部材３４０を保持するよう構成される。
これにより、画像読取装置３００は、ＬＥＤ４１０からの熱により導光部材３４０が熱膨張することを抑制できる。また、画像読取装置３００は、導光部材３４０が熱膨張した場合において、熱膨張した導光部材３４０がＬＥＤ４１０に接触してＬＥＤ４１０が変形等することを抑制できる。
【０１３０】
また、本実施形態によれば、導光部材３４０の位置決め・保持は、導光部材保持部４２３としての孔状部に導光部材３４０を挿通させるという簡単な操作で実現される。これにより、画像読取装置３００（発光ユニット４００）は、組み立て作業性が向上される。
【０１３１】
また、本実施形態の画像読取装置３００において、ＬＥＤ基板４３０が保持部材４２０に取り付けられることで、ＬＥＤ４１０は、保持部材４２０に位置決め保持される。
本実施形態によれば、ＬＥＤ４１０と比較して大型の部品であるＬＥＤ基板４３０を用いてＬＥＤ４１０の位置決めを行うため、作業性が向上されると共に、ＬＥＤ４１０の位置決め精度が向上される。
【０１３２】
また、本実施形態の画像読取装置３００を含む画像形成装置も上述の効果と同様の効果を奏する。
【０１３３】
以上、好適な実施形態について説明したが、本発明は前述した実施形態に限定されることなく種々の形態で実施することができる。
例えば、本発明の画像形成装置の種類は、特に限定がなく、コピー機、プリンター、ファクシミリ、又はこれらの複合機等であってもよい。
シート状の被転写材は、用紙に制限されず、例えば、フィルムシートであってもよい。
【符号の説明】
【０１３４】
１……コピー機（画像形成装置）、３００……画像読取装置、３０１……読取部、３１１……第１枠体（ケース部材）、３４０……導光部材、３４１……光照射部、４００……発光ユニット、４１０……ＬＥＤ（発光部）、４２０……保持部材、４２１……光反射部、４２２……ＬＥＤ基板保持部、４２３……導光部材保持部、４２３ａ……基端側孔状部、４２３ｂ……先端側孔状部、４３０……ＬＥＤ基板、４５０……導光部材保持機構（保持部）、６００……第１移動規制部（第１当接部）、６５０……第２移動規制部（第２当接部）、７００……被規制部（突出部）、Ｙ……主走査方向
【図１】
0005412459.tif 000002
【図２】
0005412459.tif 000003
【図３】
0005412459.tif 000004
【図４】
0005412459.tif 000005
【図５】
0005412459.tif 000006
【図６】
0005412459.tif 000007
【図７】
0005412459.tif 000008
【図８】
0005412459.tif 000009
【図９】
0005412459.tif 000010
【図１０】
0005412459.tif 000011
【図１１Ａ】
0005412459.tif 000012
【図１１Ｂ】
0005412459.tif 000013
【図１１Ｃ】
0005412459.tif 000014
【図１１Ｄ】
0005412459.tif 000015